(57)【特許請求の範囲】
【請求項１】
物理ハイブリッド自動再送要求指示チャネル（ＰＨＩＣＨ）情報の伝送方法であって、
基地局が、自局のオールモストブランクサブフレーム（ＡＢＳ）パターンに基づいて、各上りサブフレームで伝送される上りデータに対応するＰＨＩＣＨ情報のフィードバック用下りサブフレームを決定し、
ユーザ端末（ＵＥ）からの上りデータを受信した場合、決定された下りサブフレームで、前記上りデータに対応するＰＨＩＣＨ情報をフィードバックし、
前記自局のＡＢＳパターンに基づいて、前記上りデータに対応するＰＨＩＣＨ情報のフィードバック用下りサブフレームを決定することは、
上りサブフレームの番号ｉを１に等しいように設定するステップ１０１１と、
自局のＡＢＳパターンに基づいて、下りサブフレームｉ＋４がＡＢＳであるかどうかを決定し、下りサブフレームｉ＋４がＡＢＳである場合、ステップ１０１３に進み、下りサブフレームｉ＋４がＡＢＳではない場合、ステップ１０１４に進むステップ１０１２と、
下りサブフレームｉ＋４の後に、下りサブフレームｉ＋４に最も近い、条件
【数１】
0006029952.tif 000024
を満たす下りサブフレームを検索して、それを上りサブフレームｉで伝送される上りデータに対応するＰＨＩＣＨ情報のフィードバック用下りサブフレームとして決定してから、ステップ１０１５に進み、ここで、Ｕは１つのＡＢＳパターンに対応する上りサブフレームの総数を表し、Ｄは１つのＡＢＳパターンにおいてＡＢＳと設定されていない下りサブフレームの数を表し、Ｎｄは１つの下りサブフレームで何個のＰＨＩＣＨ情報がフィードバックされたかを表し、演算子
【数２】
0006029952.tif 000025
は切り上げ演算を表すステップ１０１３と、
下りサブフレームｉ＋４を、上りサブフレームｉで伝送される上りデータに対応するＰＨＩＣＨ情報のフィードバック用下りサブフレームとして決定してから、ステップ１０１５に進むステップ１０１４と、
ｉが１つのＡＢＳパターンに対応する上りサブフレームの総数Ｕより小さい場合、ｉ＝ｉ＋１にしてから、ステップ１０１２に戻り、ｉが１つのＡＢＳパターンに対応する上りサブフレームの総数Ｕに等しい場合、本プロセスを終了するステップ１０１５と、
を含むことを特徴とする方法。
【請求項２】
基地局が、無線リソース制御（ＲＲＣ）シグナリング、媒体アクセス制御（ＭＡＣ）制御要素（ＣＥ）、運用・保守（Ｏ＆Ｍ）シグナリングのいずれか１つによって、ＰＨＩＣＨ情報受信用下りサブフレームの決定方法をＵＥに通知する、
ことをさらに含む請求項１に記載の方法。
【請求項３】
物理ハイブリッド自動再送要求指示チャネル（ＰＨＩＣＨ）情報の伝送方法であって、
ユーザ端末（ＵＥ）が、基地局から送信されたオールモストブランクサブフレーム（ＡＢＳ）パターンに基づいて、各上りサブフレームで伝送される上りデータに対応するＰＨＩＣＨ情報の受信用下りサブフレームを決定し、
上りデータを送信した後に、決定された下りサブフレームで、当該上りデータに対応するＰＨＩＣＨ情報を受信し、
基地局から送信されたＡＢＳパターンに基づいて、前記上りデータに対応するＰＨＩＣＨ情報の受信用下りサブフレームを決定することは、
上りサブフレームの番号ｉを１に等しいように設定するステップ３０１１と、
基地局から送信されたＡＢＳパターンに基づいて、下りサブフレームｉ＋４がＡＢＳであるかどうかを決定し、下りサブフレームｉ＋４がＡＢＳである場合、ステップ３０１３に進み、下りサブフレームｉ＋４がＡＢＳではない場合、ステップ３０１４に進むステップ３０１２と、
下りサブフレームｉ＋４の後に、下りサブフレームｉ＋４に最も近い、条件
【数３】
0006029952.tif 000026
を満たす下りサブフレームを検索して、それを上りサブフレームｉで伝送される上りデータに対応するＰＨＩＣＨ情報の受信用下りサブフレームとして決定してから、ステップ３０１５に進み、ここで、Ｕは１つのＡＢＳパターンに対応する上りサブフレームの総数を表し、Ｄは１つのＡＢＳパターンにおいてＡＢＳと設定されていない下りサブフレームの数を表し、Ｎｄは１つの下りサブフレームで何個のＰＨＩＣＨ情報がフィードバックされたかを表し、演算子
【数４】
0006029952.tif 000027
は切り上げ演算を表すステップ３０１３と、
下りサブフレームｉ＋４を、上りサブフレームｉで伝送される上りデータに対応するＰＨＩＣＨ情報の受信用下りサブフレームとして決定してから、ステップ３０１５に進むステップ３０１４と、
ｉが１つのＡＢＳパターンに対応する上りサブフレームの総数Ｕより小さい場合、ｉ＝ｉ＋１にしてから、ステップ３０１２に戻り、ｉが１つのＡＢＳパターンに対応する上りサブフレームの総数Ｕに等しい場合、本プロセスを終了するステップ３０１５と、
を含むことを特徴とする方法。
【請求項４】
ＵＥが、無線リソース制御（ＲＲＣ）シグナリング、媒体アクセス制御（ＭＡＣ）制御要素（ＣＥ）、運用・保守（Ｏ＆Ｍ）シグナリングのいずれか１つによって、基地局から送信されたＰＨＩＣＨ情報受信用下りサブフレームの決定方法を受信する、
ことをさらに含む請求項３に記載の方法。
【請求項５】
基地局であって、
自局のオールモストブランクサブフレーム（ＡＢＳ）パターンに基づいて、各上りサブフレームで伝送される上りデータに対応する物理ハイブリッド自動再送要求指示チャネル（ＰＨＩＣＨ）情報のフィードバック用下りサブフレームを決定する第１サブフレーム決定手段と、
ユーザ端末（ＵＥ）からの上りデータを受信した後に、決定された下りサブフレームで、当該上りデータに対応するＰＨＩＣＨ情報をフィードバックするＰＨＩＣＨ情報フィードバック手段と、を含み、
前記第１サブフレーム決定手段は、
上りサブフレームの番号ｉを１に等しいように設定するステップ１０１１と、
自局のＡＢＳパターンに基づいて、下りサブフレームｉ＋４がＡＢＳであるかどうかを決定し、下りサブフレームｉ＋４がＡＢＳである場合、ステップ１０１３に進み、下りサブフレームｉ＋４がＡＢＳではない場合、ステップ１０１４に進むステップ１０１２と、 下りサブフレームｉ＋４の後に、下りサブフレームｉ＋４に最も近い、条件
【数５】
0006029952.tif 000028
を満たす下りサブフレームを検索して、それを上りサブフレームｉで伝送される上りデータに対応するＰＨＩＣＨ情報のフィードバック用下りサブフレームとして決定してから、ステップ１０１５に進み、ここで、Ｕは１つのＡＢＳパターンに対応する上りサブフレームの総数を表し、Ｄは１つのＡＢＳパターンにおいてＡＢＳと設定されていない下りサブフレームの数を表し、Ｎｄは１つの下りサブフレームで何個のＰＨＩＣＨ情報がフィードバックされたかを表し、演算子
【数６】
0006029952.tif 000029
は切り上げ演算を表すステップ１０１３と、
下りサブフレームｉ＋４を、上りサブフレームｉで伝送される上りデータに対応するＰＨＩＣＨ情報のフィードバック用下りサブフレームとして決定してから、ステップ１０１５に進むステップ１０１４と、
ｉが１つのＡＢＳパターンに対応する上りサブフレームの総数Ｕより小さい場合、ｉ＝ｉ＋１にしてから、ステップ１０１２に戻り、ｉが１つのＡＢＳパターンに対応する上りサブフレームの総数Ｕに等しい場合、本プロセスを終了するステップ１０１５と、に用いる、
ことを特徴とする基地局。
【請求項６】
無線リソース制御（ＲＲＣ）シグナリング、媒体アクセス制御（ＭＡＣ）制御要素（ＣＥ）、運用・保守（Ｏ＆Ｍ）シグナリングのいずれか１つによって、ＰＨＩＣＨ情報受信用下りサブフレームの決定方法をＵＥに通知する通知手段をさらに含む請求項５に記載の基地局。
【請求項７】
ユーザ端末（ＵＥ）であって、
基地局から送信されたオールモストブランクサブフレーム（ＡＢＳ）パターンに基づいて、各上りサブフレームで伝送される上りデータに対応する物理ハイブリッド自動再送要求指示チャネル（ＰＨＩＣＨ）情報の受信用下りサブフレームを決定する第２サブフレーム決定手段と、
上りデータを送信した後に、決定された下りサブフレームで、当該上りデータに対応するＰＨＩＣＨ情報を受信するＰＨＩＣＨ情報受信手段と、を含み、
前記第２サブフレーム決定手段は、
上りサブフレームの番号ｉを１に等しいように設定するステップ３０１１と、
基地局から送信されたＡＢＳパターンに基づいて、下りサブフレームｉ＋４がＡＢＳであるかどうかを決定し、下りサブフレームｉ＋４がＡＢＳである場合、ステップ３０１３に進み、下りサブフレームｉ＋４がＡＢＳではない場合、ステップ３０１４に進むステップ３０１２と、
下りサブフレームｉ＋４の後に、下りサブフレームｉ＋４に最も近い、条件
【数７】
0006029952.tif 000030
を満たす下りサブフレームを検索して、それを上りサブフレームｉで伝送される上りデータに対応するＰＨＩＣＨ情報の受信用下りサブフレームとして決定してから、ステップ３０１５に進み、ここで、Ｕは１つのＡＢＳパターンに対応する上りサブフレームの総数を表し、Ｄは１つのＡＢＳパターンにおいてＡＢＳと設定されていない下りサブフレームの数を表し、Ｎｄは１つの下りサブフレームで何個のＰＨＩＣＨ情報がフィードバックされたかを表し、演算子
【数８】
0006029952.tif 000031
は切り上げ演算を表すステップ３０１３と、
下りサブフレームｉ＋４を、上りサブフレームｉで伝送される上りデータに対応するＰＨＩＣＨ情報の受信用下りサブフレームとして決定してから、ステップ３０１５に進むステップ３０１４と、
ｉが１つのＡＢＳパターンに対応する上りサブフレームの総数Ｕより小さい場合、ｉ＝ｉ＋１にしてから、ステップ３０１２に戻り、ｉが１つのＡＢＳパターンに対応する上りサブフレームの総数Ｕに等しい場合、本プロセスを終了するステップ３０１５と、に用いる、
ことを特徴とするＵＥ。
【請求項８】
無線リソース制御（ＲＲＣ）シグナリング、媒体アクセス制御（ＭＡＣ）制御要素（ＣＥ）、運用・保守（Ｏ＆Ｍ）シグナリングのいずれか１つによって、基地局から送信されたＰＨＩＣＨ情報受信用下りサブフレームの決定方法を受信する受信手段をさらに含む請求項７に記載のＵＥ。
【発明の詳細な説明】
【技術分野】
【０００１】
本発明は、移動通信技術に関し、特に、異種ネットワークにおける物理ハイブリッド自動再送要求指示チャネル（ＰＨＩＣＨ：Ｐｈｙｓｉｃａｌ  Ｈｙｂｒｉｄ  ＡＲＱ  Ｉｎｄｉｃａｔｏｒ  Ｃｈａｎｎｅｌ）情報の伝送方法およびその装置に関する。
【背景技術】
【０００２】
セルラー携帯電話は人々の通信に極大な便利をもたらし、第２世代グローバル移動通信システム（ＧＳＭ（登録商標）：Ｇｌｏｂａｌ  Ｓｙｓｔｅｍ  ｆｏｒ  Ｍｏｂｉｌｅ  Ｃｏｍｍｕｎｉｃａｔｉｏｎ）はデジタル通信を採用して、移動通信の通話品質をさらに向上させる。第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）は移動通信分野の重要な組織として、第３世代移動通信技術（３Ｇ：Ｔｈｅ  Ｔｈｉｒｄ  Ｇｅｎｅｒａｔｉｏｎ）の標準化の進展を大幅に促進し、広帯域符号分割多元接続（ＷＣＤＭＡ：Ｗｉｄｅ  Ｃｏｄｅ  Ｄｉｖｉｓｉｏｎ  Ｍｕｌｔｉｐｌｅ  Ａｃｃｅｓｓ）、高速ダウンリンクパケットアクセス（ＨＳＤＰＡ：Ｈｉｇｈ  Ｓｐｅｅｄ  Ｄｏｗｎｌｉｎｋ  Ｐａｃｋｅｔ  Ａｃｃｅｓｓ）、高速アップリンクパケットアクセス（ＨＳＵＰＡ：Ｈｉｇｈ  Ｓｐｅｅｄ  Ｕｐｌｉｎｋ  Ｐａｃｋｅｔ  Ａｃｃｅｓｓ）などを含む一連の通信システム規格を制定した。
【０００３】
広帯域アクセス技術の挑戦に対処し、かつ、増加しつつある新たなサービスの需要を満たすために、３ＧＰＰは２００４年末から３Ｇ長期的な進化（ＬＴＥ：Ｌｏｎｇ  Ｔｅｒｍ  Ｅｖｏｌｕｔｉｏｎ）技術の標準化作業を開始したことで、スペクトル効率をさらに向上させ、セル端ユーザの性能を改善し、システム遅延を低下させ、高速移動ユーザに更なる高速のアクセスサービスを提供することなどを図る。未来の改善されたＬＴＥ（ＬＴＥ−Ａ）技術はさらにＬＴＥを基に、異種ネットワークを普及し、スペクトル帯域幅を数倍増加させ、データレートを倍的に向上させ、もっと多くの移動ユーザに、更なる高速であって性能がさらに優れたサービスを提供する。
【０００４】
異種ネットワークにおいて、マクロセルのカバー範囲内に、例えばピコセル（Ｐｉｃｏ  ｃｅｌｌ）基地局、家庭用基地局（ＨｅＮＢ）、フェムトセル（ｆｅｍｔｏ  ｃｅｌｌ）基地局、リレー（Ｒｅｌａｙ）、リモート・ラジオ・ヘッド（ＲＲＨ：Ｒｅｍｏｔｅ  Ｒａｄｉｏ  Ｈｅａｄ）などのような多種の新しいタイプの低電力基地局ノードが配置されている。
【０００５】
既存のＬＴＥバージョン８／９／１０（Ｒ８／９／１０）システムにおいて、基地局は、上りスケジューリング指令を送信することで、ユーザに対して、上り伝送リソースを割り当てる。例えば、基地局は、下りサブフレームＴで、あるユーザに対して、上りスケジューリング指令を送信し、当該ユーザは、上りサブフレームＴ＋４で、上り伝送を行い、つまり、上りサブフレームＴ＋４は、下りサブフレームＴに対応する上りサブフレームである。基地局は、当該ユーザが上りサブフレームＴ＋４で送信された上りデータを受信した後、下りサブフレームＴ＋８で、当該ユーザに、物理ハイブリッド自動再送要求指示チャネル（ＰＨＩＣＨ）情報、即ち、下りＡＣＫ／ＮＡＣＫ情報をフィードバックする。
【発明の概要】
【発明が解決しようとする課題】
【０００６】
異種シナリオで、マクロセル基地局と低電力基地局とは、同じ周波数帯で動作しているので、下り制御チャネルまたは信号の間では、強烈な干渉を受けることによって復調性能が低下してしまう恐れがあるため、システムの性能が影響されてしまう。現在、Ｒ１０システムにおいて、マクロ基地局と低電力基地局との間の干渉を避けるために、ほかの基地局への干渉を引き起こす干渉基地局側に、オールモストブランクサブフレーム（ＡＢＳ：Ａｌｍｏｓｔ  Ｂｌａｎｋ  Ｓｕｂｆｒａｍｅ）を設定することにより、ほかの被干渉基地局への干渉を減少させることができる、ということが既に決定された。このようにして、被干渉基地局は、干渉基地局でＡＢＳと設定された位置で、被干渉ユーザをスケジューリングすることができる。また、Ｒ８／９システムに対する互換性を保証するために、ＡＢＳでシステム情報ブロック１／ページング機会（ＳＩＢ１／ＰＯ：Ｓｙｓｔｅｍ  Ｉｎｆｏｒｍａｔｉｏｎ  Ｂｌｏｃｋ１／Ｐａｇｉｎｇ  Ｏｃｃａｓｉｏｎ）情報を伝送することができるが、ＡＢＳでユーザ専用なスケジューリング指令を伝送することができない。つまり、基地局は、ＡＢＳでユーザに対して上りスケジューリング指令を送信することができないため、当該ＡＢＳに対応する上りサブフレームの位置で、上りデータを伝送することもできない。例えば、下りサブフレームＴがＡＢＳと設定された場合、ユーザは、上りサブフレームＴ＋４で上り伝送を行うことができない。明らかなように、これは、上りリソースが浪費されてしまうという状況を引き起こしてしまう。
【０００７】
上記の状況に基づいて、クロスサブフレームスケジューリング方法が既に提案された。クロスサブフレームスケジューリングによって、基地局は、１つの下りサブフレームで、ユーザに対して上りスケジューリング指令を送信することで、ユーザに対し後ろの任意の上りサブフレームで上りデータ伝送を行うよう指示することができ、つまり、下りサブフレームＴがＡＢＳであっても、基地局は、クロスサブフレームスケジューリング方法によって、ほかの下りサブフレームを利用して、ユーザに対し上りサブフレームＴ＋４で上り伝送を行うよう指示することができる。これにより、上りリソースが浪費されてしまうという状況を効果的に解決することができる。
【０００８】
但し、クロスサブフレームスケジューリングの場合で、ＰＨＩＣＨ情報のフィードバック用下りサブフレームの位置を如何に決定するかが、現在の解決すべき課題の１つである。
【課題を解決するための手段】
【０００９】
上記の課題を解決するために、本発明の実施例は、物理ハイブリッド自動再送要求指示チャネル情報の伝送方法およびその装置を提供している。
【００１０】
本発明の実施例で提供される物理ハイブリッド自動再送要求指示チャネル（ＰＨＩＣＨ）情報の伝送方法は、基地局が、自局のオールモストブランクサブフレーム（ＡＢＳ）パターンに基づいて、各上りサブフレームで伝送される上りデータに対応するＰＨＩＣＨ情報のフィードバック用下りサブフレームを決定し、ユーザ端末（ＵＥ）からの上りデータを受信した場合、決定された下りサブフレームで、前記上りデータに対応するＰＨＩＣＨ情報をフィードバックする、ことを含む。
【００１１】
ここで、自局のＡＢＳパターンに基づいて、各上りサブフレームで伝送される上りデータに対応するＰＨＩＣＨ情報のフィードバック用下りサブフレームを決定することは、自局のＡＢＳパターンに基づいて、各上りサブフレームに対応する下りサブフレームが使用可能であるかどうかをそれぞれ決定し、使用可能である場合、対応する下りサブフレームを、当該上りサブフレームで伝送される上りデータに対応するＰＨＩＣＨ情報のフィードバック用下りサブフレームとして決定し、使用不可能である場合、自局のＡＢＳパターンに基づいて、当該下りサブフレームに最も近い使用可能な下りサブフレームを検索して、当該上りサブフレームで伝送される上りデータに対応するＰＨＩＣＨ情報のフィードバック用下りサブフレームとする、ことを含む。
【００１２】
各上りサブフレームに対応する下りサブフレームが使用可能であるかどうかをそれぞれ決定することは、各上りサブフレームに対応する下りサブフレームがＡＢＳであるかどうかをそれぞれ決定し、ＡＢＳである場合、使用不可能になり、ＡＢＳではない場合、使用可能になる、ことを含み、前記自局のＡＢＳパターンに基づいて、当該下りサブフレームに最も近い使用可能な下りサブフレームを検索して、当該上りサブフレームで伝送される上りデータに対応するＰＨＩＣＨ情報のフィードバック用下りサブフレームとすることは、上りサブフレームｉに対応して下りサブフレームｉ＋４の後に、下りサブフレームｉ＋４に最も近い、条件
0006029952.tif 000002
を満たす下りサブフレームを検索して、それを上りサブフレームｉで伝送される上りデータに対応するＰＨＩＣＨ情報のフィードバック用下りサブフレームとして決定する、ことを含み、ここで、Ｕは１つのＡＢＳパターンに対応する上りサブフレームの総数を表し、Ｄは１つのＡＢＳパターンにおいてＡＢＳと設定されていない下りサブフレームの数を表し、Ｎｄは１つの下りサブフレームで何個のＰＨＩＣＨ情報がフィードバックされたかを表し、演算子
0006029952.tif 000003
は切り上げ演算を表す。
【００１３】
自局のＡＢＳパターンに基づいて、各上りサブフレームで伝送される上りデータに対応するＰＨＩＣＨ情報のフィードバック用下りサブフレームを決定することは、
上りサブフレームの番号ｉを１に等しいように設定するステップ１０１１と、
自局のＡＢＳパターンに基づいて、下りサブフレームｉ＋４がＡＢＳであるかどうかを決定し、下りサブフレームｉ＋４がＡＢＳである場合、ステップ１０１３に進み、下りサブフレームｉ＋４がＡＢＳではない場合、ステップ１０１４に進むステップ１０１２と、
下りサブフレームｉ＋４の後に、下りサブフレームｉ＋４に最も近い、条件
0006029952.tif 000004
を満たす下りサブフレームを検索して、それを上りサブフレームｉで伝送される上りデータに対応するＰＨＩＣＨ情報のフィードバック用下りサブフレームとして決定してから、ステップ１０１５に進み、ここで、Ｕは１つのＡＢＳパターンに対応する上りサブフレームの総数を表し、Ｄは１つのＡＢＳパターンにおいてＡＢＳと設定されていない下りサブフレームの数を表し、Ｎｄは１つの下りサブフレームで何個のＰＨＩＣＨ情報がフィードバックされたかを表し、演算子
0006029952.tif 000005
は切り上げ演算を表すステップ１０１３と、
下りサブフレームｉ＋４を、上りサブフレームｉで伝送される上りデータに対応するＰＨＩＣＨ情報のフィードバック用下りサブフレームとして決定してから、ステップ１０１５に進むステップ１０１４と、
ｉが１つのＡＢＳパターンに対応する上りサブフレームの総数Ｕより小さい場合、ｉ＝ｉ＋１にしてから、ステップ１０１２に戻り、ｉが１つのＡＢＳパターンに対応する上りサブフレームの総数Ｕに等しい場合、本プロセスを終了するステップ１０１５と、を含む。
【００１４】
上記の方法は、基地局が、無線リソース制御（ＲＲＣ）シグナリング、媒体アクセス制御（ＭＡＣ）制御要素（ＣＥ）、運用・保守（Ｏ＆Ｍ）シグナリングによって、ＰＨＩＣＨ情報受信用下りサブフレームの決定方法をＵＥに通知する、ことをさらに含む。
【００１５】
本発明の実施例で提供される物理ハイブリッド自動再送要求指示チャネル（ＰＨＩＣＨ）情報の伝送方法は、ユーザ端末（ＵＥ）が、基地局から送信されたオールモストブランクサブフレーム（ＡＢＳ）パターンに基づいて、各上りサブフレームで伝送される上りデータに対応するＰＨＩＣＨ情報の受信用下りサブフレームを決定し、上りデータを送信した後に、決定された下りサブフレームで、当該上りデータに対応するＰＨＩＣＨ情報を受信する、ことを含む。
【００１６】
ここで、基地局から送信されたＡＢＳパターンに基づいて、各上りサブフレームで伝送される上りデータに対応するＰＨＩＣＨ情報の受信用下りサブフレームを決定することは、基地局から送信されたＡＢＳパターンに基づいて、各上りサブフレームに対応する下りサブフレームが使用可能であるかどうかをそれぞれ決定し、使用可能である場合、対応する下りサブフレームを、当該上りサブフレームで伝送される上りデータに対応するＰＨＩＣＨ情報の受信用下りサブフレームとして決定し、使用不可能である場合、基地局から送信されたＡＢＳパターンに基づいて、当該下りサブフレームに最も近い使用可能な下りサブフレームを検索して、当該上りサブフレームで伝送される上りデータに対応するＰＨＩＣＨ情報の受信用下りサブフレームとする、ことを含む。
【００１７】
各上りサブフレームに対応する下りサブフレームが使用可能であるかどうかをそれぞれ決定することは、各上りサブフレームに対応する下りサブフレームがＡＢＳであるかどうかをそれぞれ決定し、ＡＢＳである場合、使用不可能になり、ＡＢＳではない場合、使用可能になる、ことを含み、
前記基地局から送信されたＡＢＳパターンに基づいて、当該下りサブフレームに最も近い使用可能な下りサブフレームを検索して、当該上りサブフレームで伝送される上りデータに対応するＰＨＩＣＨ情報の受信用下りサブフレームとすることは、上りサブフレームｉに対応して、下りサブフレームｉ＋４の後に、下りサブフレームｉ＋４に最も近い、条件
0006029952.tif 000006
を満たす下りサブフレームを検索して、それを上りサブフレームｉで伝送される上りデータに対応するＰＨＩＣＨ情報の受信用下りサブフレームとして決定する、ことを含み、ここで、Ｕは１つのＡＢＳパターンに対応する上りサブフレームの総数を表し、Ｄは１つのＡＢＳパターンにおいてＡＢＳと設定されていない下りサブフレームの数を表し、Ｎｄは１つの下りサブフレームで何個のＰＨＩＣＨ情報がフィードバックされたかを表し、演算子
0006029952.tif 000007
は切り上げ演算を表す。
【００１８】
基地局から送信されたＡＢＳパターンに基づいて、各上りサブフレームで伝送される上りデータに対応するＰＨＩＣＨ情報の受信用下りサブフレームを決定することは、
上りサブフレームの番号ｉを１に等しいように設定するステップ３０１１と、
基地局から送信されたＡＢＳパターンに基づいて、下りサブフレームｉ＋４がＡＢＳであるかどうかを決定し、下りサブフレームｉ＋４がＡＢＳである場合、ステップ３０１３に進み、下りサブフレームｉ＋４がＡＢＳではない場合、ステップ３０１４に進むステップ３０１２と、
下りサブフレームｉ＋４の後に、下りサブフレームｉ＋４に最も近い、条件
0006029952.tif 000008
を満たす下りサブフレームを検索して、それを上りサブフレームｉで伝送される上りデータに対応するＰＨＩＣＨ情報の受信用下りサブフレームとして決定してから、ステップ３０１５に進み、ここで、Ｕは１つのＡＢＳパターンに対応する上りサブフレームの総数を表し、Ｄは１つのＡＢＳパターンにおいてＡＢＳと設定されていない下りサブフレームの数を表し、Ｎｄは１つの下りサブフレームで何個のＰＨＩＣＨ情報がフィードバックされたかを表し、演算子
0006029952.tif 000009
は切り上げ演算を表すステップ３０１３と、
下りサブフレームｉ＋４を、上りサブフレームｉで伝送される上りデータに対応するＰＨＩＣＨ情報の受信用下りサブフレームとして決定してから、ステップ３０１５に進むステップ３０１４と、
ｉが１つのＡＢＳパターンに対応する上りサブフレームの総数Ｕより小さい場合、ｉ＝ｉ＋１にしてから、ステップ３０１２に戻り、ｉが１つのＡＢＳパターンに対応する上りサブフレームの総数Ｕに等しい場合、本プロセスを終了するステップ３０１５と、を含む。
【００１９】
上記の方法は、ＵＥが、無線リソース制御（ＲＲＣ）シグナリング、媒体アクセス制御（ＭＡＣ）制御要素（ＣＥ）、運用・保守（Ｏ＆Ｍ）シグナリングによって、基地局から送信されたＰＨＩＣＨ情報受信用下りサブフレームの決定方法を受信する、ことをさらに含む。
【００２０】
本発明の実施例で提供される基地局は、自局のオールモストブランクサブフレーム（ＡＢＳ）パターンに基づいて、各上りサブフレームで伝送される上りデータに対応する物理ハイブリッド自動再送要求指示チャネル（ＰＨＩＣＨ）情報のフィードバック用下りサブフレームを決定する第１サブフレーム決定手段と、ユーザ端末（ＵＥ）からの上りデータを受信した後に、決定された下りサブフレームで、当該上りデータに対応するＰＨＩＣＨ情報をフィードバックするＰＨＩＣＨ情報フィードバック手段と、を含む。
【００２１】
第１サブフレーム決定手段は、自局のＡＢＳパターンに基づいて、各上りサブフレームｉに対応する下りサブフレームｉ＋４がＡＢＳであるかどうかを決定し、ＡＢＳではない場合、当該下りサブフレームｉ＋４を、上りサブフレームｉで伝送される上りデータに対応するＰＨＩＣＨ情報のフィードバック用下りサブフレームとして決定し、ＡＢＳである場合、適切な下りサブフレームを検索するように、第１検索モジュールをトリガーする第１判断モジュールと、下りサブフレームｉ＋４の後に、下りサブフレームｉ＋４に最も近い、条件
0006029952.tif 000010
を満たす下りサブフレームを検索して、それを上りサブフレームｉで伝送される上りデータに対応するＰＨＩＣＨ情報のフィードバック用下りサブフレームとして決定し、前記Ｕは１つのＡＢＳパターンに対応する上りサブフレームの総数を表し、Ｄは１つのＡＢＳパターンにおいてＡＢＳと設定されていない下りサブフレームの数を表し、Ｎｄは１つの下りサブフレームで何個のＰＨＩＣＨ情報がフィードバックされたかを表し、演算子
0006029952.tif 000011
は切り上げ演算を表す第１検索モジュールと、を含む。
【００２２】
上記の基地局は、無線リソース制御（ＲＲＣ）シグナリング、媒体アクセス制御（ＭＡＣ）制御要素（ＣＥ）、運用・保守（Ｏ＆Ｍ）シグナリングによって、ＰＨＩＣＨ情報受信用下りサブフレームの決定方法をＵＥに通知する通知手段をさらに含む。
【００２３】
本発明の実施例で提供されるユーザ端末（ＵＥ）は、基地局から送信されたオールモストブランクサブフレーム（ＡＢＳ）パターンに基づいて、各上りサブフレームで伝送される上りデータに対応する物理ハイブリッド自動再送要求指示チャネル（ＰＨＩＣＨ）情報の受信用下りサブフレームを決定する第２サブフレーム決定手段と、上りデータを送信した後に、決定された下りサブフレームで、当該上りデータに対応するＰＨＩＣＨ情報を受信するＰＨＩＣＨ情報受信手段と、を含む。
【００２４】
第２サブフレーム決定手段は、基地局から送信されたＡＢＳパターンに基づいて、各上りサブフレームｉに対応する下りサブフレームｉ＋４がＡＢＳであるかどうかを決定し、ＡＢＳではない場合、当該下りサブフレームｉ＋４を、上りサブフレームｉで伝送される上りデータに対応するＰＨＩＣＨ情報の受信用下りサブフレームとして決定し、ＡＢＳである場合、適切な下りサブフレームを検索するように、第２検索モジュールをトリガーする第２判断モジュールと、下りサブフレームｉ＋４の後に、下りサブフレームｉ＋４に最も近い、条件
0006029952.tif 000012
を満たす下りサブフレームを検索して、それを上りサブフレームｉで伝送される上りデータに対応するＰＨＩＣＨ情報の受信用下りサブフレームとして決定し、前記Ｕは１つのＡＢＳパターンに対応する上りサブフレームの総数を表し、Ｄは１つのＡＢＳパターンにおいてＡＢＳと設定されていない下りサブフレームの数を表し、Ｎｄは１つの下りサブフレームで何個のＰＨＩＣＨ情報がフィードバックされたかを表し、演算子
0006029952.tif 000013
は切り上げ演算を表す第２検索モジュールと、を含む。
【００２５】
上記のＵＥは、無線リソース制御（ＲＲＣ）シグナリング、媒体アクセス制御（ＭＡＣ）制御要素（ＣＥ）、運用・保守（Ｏ＆Ｍ）シグナリングによって、基地局から送信されたＰＨＩＣＨ情報受信用下りサブフレームの決定方法を受信する受信手段をさらに含む。
【発明の効果】
【００２６】
ここから分かるように、本発明の実施例に係る方法および装置によれば、基地局およびＵＥは、クロスサブフレームスケジューリングの場合で、ＰＨＩＣＨ情報のフィードバック用または受信用下りサブフレームの位置を如何に決定するかという課題を解決することができる。
【図面の簡単な説明】
【００２７】
【図１】本発明の実施例に係るＰＨＩＣＨ情報の伝送方法の基地局側のフローチャートである。
【図２】本発明の実施例に係るＰＨＩＣＨ情報の伝送方法において、基地局が自局のＡＢＳパターンに基づいて、ＰＨＩＣＨ情報のフィードバック用下りサブフレームを決定する方法のフローチャートである。
【図３】本発明の実施例に係るＰＨＩＣＨ情報の伝送方法のＵＥ側のフローチャートである。
【図４】本発明の実施例に係るＰＨＩＣＨ情報の伝送方法において、ＵＥが基地局のＡＢＳパターンに基づいて、ＰＨＩＣＨ情報の受信用下りサブフレームを決定する方法のフローチャートである。
【図５】本発明の実施例に係る基地局の内部構成を示す図である。
【図６】本発明の実施例に係るＵＥの内部構成を示す図である。
【発明を実施するための形態】
【００２８】
本発明の実施例は、クロスサブフレームスケジューリングの場合で、ＰＨＩＣＨ情報のフィードバック用または受信用下りサブフレームの位置を決定することができるＰＨＩＣＨ情報の伝送方法を提供している。以下、図面および具体的な例示を参照しながら、本実施例に係る方法を詳しく説明する。
【００２９】
図１は、本実施例に係るクロスサブフレームスケジューリングが設定された場合でのＰＨＩＣＨ情報の伝送方法の基地局側のフローを示す。図１に示すように、該方法は、
基地局が、自局のＡＢＳパターンに基づいて、各上りサブフレームで伝送される上りデータに対応するＰＨＩＣＨ情報のフィードバック用下りサブフレームを決定するステップ１０１と、
ＵＥからの上りデータを受信した場合、決定された下りサブフレームで、当該ＵＥの上りデータに対応するＰＨＩＣＨ情報をフィードバックするステップ１０２と、を含む。
【００３０】
以下、図面および具体的な例示を参照しながら、上記のステップ１０１における、基地局が、自局のＡＢＳパターンに基づいて、当該ＵＥの上りデータに対応するＰＨＩＣＨ情報のフィードバック用下りサブフレームを決定する方法について、詳しく説明する。該方法において、基地局は、まず、自局のＡＢＳパターンに基づいて、各上りサブフレームに対応する下りサブフレームが使用可能であるかどうかをそれぞれ決定し、使用可能である場合、対応する下りサブフレームを、当該上りサブフレームで伝送される上りデータに対応するＰＨＩＣＨ情報のフィードバック用下りサブフレームとして決定し、使用不可能である場合、自局のＡＢＳパターンに基づいて、当該下りサブフレームに最も近い使用可能な下りサブフレームを検索して、当該上りサブフレームで伝送される上りデータに対応するＰＨＩＣＨ情報のフィードバック用下りサブフレームとすることができる。ここで、基地局は、各上りサブフレームに対応する下りサブフレームがＡＢＳであるかどうかをそれぞれ決定することで、下りサブフレームが使用可能であるかどうかを決定することができ、例えば、ＡＢＳである場合、使用不可能になり、ＡＢＳではない場合、使用可能になる。また、自局のＡＢＳパターンに基づいて、当該下りサブフレームに最も近い使用可能な下りサブフレームを検索して、当該上りサブフレームで伝送される上りデータに対応するＰＨＩＣＨ情報のフィードバック用下りサブフレームとする際に、基地局は、上りサブフレームｉに対応する下りサブフレームｉ＋４の後に、下りサブフレームｉ＋４に最も近い、条件
0006029952.tif 000014
を満たす下りサブフレームを検索して、それを上りサブフレームｉで伝送される上りデータに対応するＰＨＩＣＨ情報のフィードバック用下りサブフレームとして決定することができる。ここで、Ｕは１つのＡＢＳパターンに対応する上りサブフレームの総数を表し、Ｄは１つのＡＢＳパターンにおいてＡＢＳと設定されていない下りサブフレームの数を表し、Ｎｄは１つの下りサブフレームで何個のＰＨＩＣＨ情報がフィードバックされたかを表し、演算子
0006029952.tif 000015
は切り上げ演算を表す。
【００３１】
図２は、本実施例において、基地局が、自局のＡＢＳパターンに基づいて、ＰＨＩＣＨ情報のフィードバック用下りサブフレームを決定する具体的な方法を示す。図２に示すように、該方法は、主に、
上りサブフレームの番号ｉを１に等しいように設定するステップ１０１１と、
自局のＡＢＳパターンに基づいて、下りサブフレームｉ＋４がＡＢＳであるかどうかを決定し、下りサブフレームｉ＋４がＡＢＳである場合、ステップ１０１３に進み、下りサブフレームｉ＋４がＡＢＳではない場合、ステップ１０１４に進むステップ１０１２と、
下りサブフレームｉ＋４の後に、下りサブフレームｉ＋４に最も近い、条件
0006029952.tif 000016
を満たす下りサブフレームを検索して、それを上りサブフレームｉで伝送される上りデータに対応するＰＨＩＣＨ情報のフィードバック用下りサブフレームとして決定してから、ステップ１０１５に進むステップ１０１３と、
下りサブフレームｉ＋４を、上りサブフレームｉで伝送される上りデータに対応するＰＨＩＣＨ情報のフィードバック用下りサブフレームとして決定してから、ステップ１０１５に進むステップ１０１４と、
ｉが１つのＡＢＳパターンに対応する上りサブフレームの総数Ｕより小さい場合、ｉ＝ｉ＋１にしてから、ステップ１０１２に戻り、ｉが１つのＡＢＳパターンに対応する上りサブフレームの総数Ｕに等しい場合、本プロセスを終了するステップ１０１５と、を含む。
【００３２】
上記のステップ１０１１〜１０１５から、基地局は、１つのＡＢＳパターンに対応する各上りサブフレームのフィードバックすべきＰＨＩＣＨ情報のフィードバック用下りサブフレームの位置をそれぞれ決定することができ、また、システム全体のＰＨＩＣＨ情報（下りＡＣＫ／ＮＡＣＫ情報）が、いくつかの下りサブフレームに大量に集中することなく、全ての使用可能な下りサブフレームに均一に分散されるということは保証することができる。これにより、ＰＨＩＣＨ情報ブロッキング（ＰＨＩＣＨ  Ｂｌｏｃｋｉｎｇ）という状況の発生を効果的に避けることができる。
【００３３】
図３は、本実施例に係るＰＨＩＣＨ情報の伝送方法のＵＥ側のフローを示す。図３に示すように、該方法は、
ＵＥが、基地局から送信されたＡＢＳパターンに基づいて、各上りサブフレームで伝送される上りデータに対応するＰＨＩＣＨ情報の受信用下りサブフレームを決定するステップ３０１と、
上りデータを送信した後に、決定された下りサブフレームで、当該上りデータに対応するＰＨＩＣＨ情報を受信するステップ３０２と、を含む。
【００３４】
以下、図面および具体的な例示を参照しながら、上記のステップ３０１における、ＵＥが、基地局から送信されたＡＢＳパターンに基づいて、該上りデータに対応するＰＨＩＣＨ情報の受信用下りサブフレームを決定する方法について、詳しく説明する。該方法において、ＵＥは、まず、基地局から送信されたＡＢＳパターンに基づいて、各上りサブフレームに対応する下りサブフレームが使用可能であるかどうかをそれぞれ決定し、使用可能である場合、対応する下りサブフレームを、当該上りサブフレームで伝送される上りデータに対応するＰＨＩＣＨ情報の受信用下りサブフレームとして決定し、使用不可能である場合、さらに、基地局から送信されたＡＢＳパターンに基づいて、当該下りサブフレームに最も近い使用可能な下りサブフレームを検索して、当該上りサブフレームで伝送される上りデータに対応するＰＨＩＣＨ情報の受信用下りサブフレームとすることができる。ここで、ＵＥは、各上りサブフレームに対応する下りサブフレームがＡＢＳであるかどうかをそれぞれ決定することで、下りサブフレームが使用可能であるかどうかを決定することができ、例えば、ＡＢＳである場合、使用不可能になり、ＡＢＳではない場合、使用可能になる。また、基地局から送信されたＡＢＳパターンに基づいて、当該下りサブフレームに最も近い使用可能な下りサブフレームを検索して、当該上りサブフレームで伝送される上りデータに対応するＰＨＩＣＨ情報の受信用下りサブフレームとする際に、ＵＥは、上りサブフレームｉに対応する下りサブフレームｉ＋４の後に、下りサブフレームｉ＋４に最も近い、条件
0006029952.tif 000017
を満たす下りサブフレームを検索して、それを上りサブフレームｉで伝送される上りデータに対応するＰＨＩＣＨ情報の受信用下りサブフレームとして決定することができる。ここで、Ｕは１つのＡＢＳパターンに対応する上りサブフレームの総数を表し、Ｄは１つのＡＢＳパターンにおいてＡＢＳと設定されていない下りサブフレームの数を表し、Ｎｄは１つの下りサブフレームで何個のＰＨＩＣＨ情報がフィードバックされたかを表し、演算子
0006029952.tif 000018
は切り上げ演算を表す。
【００３５】
図４は、本実施例において、ＵＥが、基地局から送信されたＡＢＳパターンに基づいて、ＰＨＩＣＨ情報の受信用下りサブフレームを決定する具体的な方法を示す。図４に示すように、該方法は、主に、
上りサブフレームの番号ｉを１に等しいように設定するステップ３０１１と、
基地局から送信されたＡＢＳパターンに基づいて、下りサブフレームｉ＋４がＡＢＳであるかどうかを決定し、下りサブフレームｉ＋４がＡＢＳである場合、ステップ３０１３に進み、下りサブフレームｉ＋４がＡＢＳではない場合、ステップ３０１４に進むステップ３０１２と、
下りサブフレームｉ＋４の後に、下りサブフレームｉ＋４に最も近い、条件
0006029952.tif 000019
を満たす下りサブフレームを検索して、それを上りサブフレームｉで伝送される上りデータに対応するＰＨＩＣＨ情報の受信用下りサブフレームとして決定してから、ステップ３０１５に進むステップ３０１３と、
下りサブフレームｉ＋４を、上りサブフレームｉで伝送される上りデータに対応するＰＨＩＣＨ情報の受信用下りサブフレームとして決定してから、ステップ３０１５に進むステップ３０１４と、
ｉが１つのＡＢＳパターンに対応する上りサブフレームの総数Ｕより小さい場合、ｉ＝ｉ＋１にしてから、ステップ３０１２に戻り、ｉが１つのＡＢＳパターンに対応する上りサブフレームの総数Ｕに等しい場合、本プロセスを終了するステップ３０１５と、を含む。
【００３６】
上記のステップ３０１１〜３０１５から、ＵＥは、１つのＡＢＳパターンにおける各上りサブフレームに対応するＰＨＩＣＨ情報の受信用下りサブフレームを決定することができ、また、システム全体のＰＨＩＣＨ情報（下りＡＣＫ／ＮＡＣＫ情報）が、いくつかの下りサブフレームに大量に集中することなく、全ての使用可能な下りサブフレームに均一に分散されるということは保証することができる。これにより、ＰＨＩＣＨ情報ブロッキングという状況の発生を効果的に避けることができる。
【００３７】
また、上記の方法から分かるように、ＵＥがＰＨＩＣＨ情報の受信用下りサブフレームを決定できるようにするために、基地局は、ＵＥに対し当該基地局のＡＢＳパターンを通知する必要がある。具体的に、基地局は、ＭＡＣ  ＣＥ、ＲＲＣシグナリングなどのシステム情報によって、ＵＥに対し当該基地局のＡＢＳパターンを通知することができる。
【００３８】
また説明すべきものとして、上記の、基地局が、自局のＡＢＳパターンに基いて、ＰＨＩＣＨ情報のフィードバック用下りサブフレームを決定する方法、および、ＵＥが、基地局から送信されたＡＢＳパターンに基いて、ＰＨＩＣＨ情報の受信用下りサブフレームを決定する方法は、それぞれ基地局およびＵＥに予め配置されることができる。また、上記の、ＵＥが、基地局から送信されたＡＢＳパターンに基いて、ＰＨＩＣＨ情報の受信用下りサブフレームを決定する方法は、基地局によってＵＥに配置されることもできる。具体的に、基地局は、例えば、無線リソース制御（ＲＲＣ）シグナリング、媒体アクセス制御（ＭＡＣ）制御要素（ＣＥ）、運用・保守（Ｏ＆Ｍ）シグナリングのようなシステム情報によって、該方法をＵＥに通知することができ、ＵＥは、無線リソース制御（ＲＲＣ）シグナリング、媒体アクセス制御（ＭＡＣ）制御要素（ＣＥ）、運用・保守（Ｏ＆Ｍ）シグナリングによって、基地局から送信されたＰＨＩＣＨ情報受信用下りサブフレームの決定方法を受信する。
【００３９】
上記の方法に対応して、本実施例は、上記方法を実行する基地局およびＵＥも提供している。ここで、図５に示すように、基地局の内部構成は、主に、
自局のＡＢＳパターンに基づいて、各上りサブフレームで伝送される上りデータに対応するＰＨＩＣＨ情報のフィードバック用下りサブフレームを決定する第１サブフレーム決定手段５０１と、
ＵＥからの上りデータを受信した後に、決定された下りサブフレームで、当該上りデータに対応するＰＨＩＣＨ情報をフィードバックするＰＨＩＣＨ情報フィードバック手段５０２と、を含む。
【００４０】
ここで、上記第１サブフレーム決定手段５０１は、第１判断モジュール５０１１と第１検索モジュール５０１２とを含む。
【００４１】
ここで、上記第１判断モジュール５０１１は、自局のＡＢＳパターンに基づいて、各上りサブフレームｉに対応する下りサブフレームｉ＋４がＡＢＳであるかどうかを決定し、ＡＢＳではない場合、当該下りサブフレームｉ＋４を、上りサブフレームｉで伝送される上りデータに対応するＰＨＩＣＨ情報のフィードバック用下りサブフレームとして決定し、ＡＢＳである場合、適切な下りサブフレームを検索するように、第１検索モジュール５０１２をトリガーする。
【００４２】
上記第１検索モジュール５０１２は、下りサブフレームｉ＋４の後に、下りサブフレームｉ＋４に最も近い、条件
0006029952.tif 000020
を満たす下りサブフレームを検索して、それを上りサブフレームｉで伝送される上りデータに対応するＰＨＩＣＨ情報のフィードバック用下りサブフレームとして決定する。
【００４３】
上記のように、上記のＵは１つのＡＢＳパターンに対応する上りサブフレームの総数を表し、Ｄは１つのＡＢＳパターンにおいてＡＢＳと設定されていない下りサブフレームの数を表し、Ｎｄは１つの下りサブフレームで何個のＰＨＩＣＨ情報がフィードバックされたかを表し、演算子
0006029952.tif 000021
は切り上げ演算を表す。
【００４４】
基地局は、ＲＲＣシグナリング、ＭＡＣ  ＣＥ、Ｏ＆Ｍシグナリングによって、ＰＨＩＣＨ情報受信用下りサブフレームの決定方法をＵＥに通知する通知手段をさらに含むことができる。
【００４５】
図６に示すように、ＵＥの内部構成は、
基地局から送信されたＡＢＳパターンに基づいて、各上りサブフレームで伝送される上りデータに対応するＰＨＩＣＨ情報の受信用下りサブフレームを決定する第２サブフレーム決定手段６０１と、
上りデータを送信した後に、決定された下りサブフレームで、当該上りデータに対応するＰＨＩＣＨ情報を受信するＰＨＩＣＨ情報受信手段６０２と、を含む。
【００４６】
ここで、上記第２サブフレーム決定手段６０１は、第２判断モジュール６０１１と第２検索モジュール６０１２とを含む。
【００４７】
ここで、上記第２判断モジュール６０１１は、基地局から送信されたＡＢＳパターンに基づいて、各上りサブフレームｉに対応する下りサブフレームｉ＋４がＡＢＳであるかどうかを決定し、ＡＢＳではない場合、当該下りサブフレームｉ＋４を、上りサブフレームｉで伝送される上りデータに対応するＰＨＩＣＨ情報の受信用下りサブフレームとして決定し、ＡＢＳである場合、適切な下りサブフレームを検索するように、第２検索モジュール６０１２をトリガーする。
【００４８】
第２検索モジュール６０１２は、下りサブフレームｉ＋４の後に、下りサブフレームｉ＋４に最も近い、条件
0006029952.tif 000022
を満たす下りサブフレームを検索して、それを上りサブフレームｉで伝送される上りデータに対応するＰＨＩＣＨ情報の受信用下りサブフレームとして決定する。
【００４９】
上記のように、上記のＵは１つのＡＢＳパターンに対応する上りサブフレームの総数を表し、Ｄは１つのＡＢＳパターンにおいてＡＢＳと設定されていない下りサブフレームの数を表し、Ｎｄは１つの下りサブフレームで何個のＰＨＩＣＨ情報がフィードバックされたかを表し、演算子
0006029952.tif 000023
は切り上げ演算を表す。
【００５０】
上記のＵＥは、ＲＲＣシグナリング、ＭＡＣ  ＣＥ、Ｏ＆Ｍシグナリングによって、基地局から送信されたＰＨＩＣＨ情報受信用下りサブフレームの決定方法を受信する受信手段をさらに含む。
【００５１】
本発明の実施例に係る方法および装置によれば、基地局およびＵＥは、クロスサブフレームスケジューリングの場合で、ＰＨＩＣＨ情報のフィードバック用または受信用下りサブフレームの位置を如何に決定するかという課題を解決することができる。また、上記の実施例において、基地局およびＵＥは、１つのＡＢＳパターンにおける各上りサブフレームに対応するＰＨＩＣＨ情報のフィードバック用または受信用下りサブフレームを決定することができ、また、システム全体のＰＨＩＣＨ情報（下りＡＣＫ／ＮＡＣＫ情報）が、いくつかの下りサブフレームに大量に集中することなく、全ての使用可能な下りサブフレームに均一に分散されるということは保証することができる。これにより、ＰＨＩＣＨ情報ブロッキングという状況の発生を効果的に避けることができる。
【００５２】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【符号の説明】
【００５３】
５０１  第１サブフレーム決定手段
５０１１  第１判断モジュール
５０１２  第１検索モジュール
５０２  ＰＨＩＣＨ情報フィードバック手段
６０１  第２サブフレーム決定手段
６０１１  第２判断モジュール
６０１２  第２検索モジュール
６０２  ＰＨＩＣＨ情報受信手段
【図１】
0006029952.tif 000032
【図２】
0006029952.tif 000033
【図３】
0006029952.tif 000034
【図４】
0006029952.tif 000035
【図５】
0006029952.tif 000036
【図６】
0006029952.tif 000037